(57)【特許請求の範囲】
【請求項１】
水平断面形状が略矩形の筒状の胴部と、互いに係合する係合溝を有した第１支持板と第２支持板とを井桁状に組み立てられるとともに前記胴部内に配される支持部材と、前記支持部材上に配されて前記胴部に嵌合する天板とを備え、前記天板上に展示物が載置される展示台において、
前記天板が隣接する二辺を前記胴部に接着されるとともに、該二辺の夾角の二等分線上に形成された折り線から成る天板折畳み部と、前記胴部に非接着の二辺に設けられて前記胴部と前記支持部材との間に挿入されるフラップと、前記フラップの折曲により切り起こされる係止片とを有し、
第１支持板の両端が前記胴部の対向する二面に接着されるとともに、前記フラップを前記胴部内に挿入した際に前記係止片が前記胴部の内面に当接することを特徴とする展示台。
【請求項２】
第２支持板の両端を前記胴部に対して非接着に形成し、第２支持板の前記係合溝が下端を開放されることを特徴とする請求項１に記載の展示台。
【請求項３】
第１支持板が前記胴部の短辺方向に配されることを特徴とする請求項１または請求項２に記載の展示台。
【請求項４】
前記天板上の前記天板折畳み部の近傍に開口部を設けたことを特徴とする請求項１〜請求項３のいずれかに記載の展示台。
【請求項５】
前記フラップが第１支持板の前記胴部に接着される接着片の上端に当接することを特徴とする請求項１〜請求項４のいずれかに記載の展示台。
【発明の詳細な説明】
【技術分野】
【０００１】
本発明は、店舗等に設置されて展示物が載置される展示台に関する。
【背景技術】
【０００２】
スーパーマーケットやドラッグストア等の店舗内に設置されて商品等の展示物を載置する従来の展示台は特許文献１に開示されている。この展示台は、水平断面形状が略矩形の筒状の胴部と、胴部内に配される支持部材と、支持部材上に配されて胴部に嵌合する略矩形の天板とを備える。胴部の内面には係合孔が設けられ、天板の端面には外側に突出して胴部の係合孔に係合する係合片が設けられる。支持部材は互いに係合する係合溝を有した第１支持板と第２支持板とを直交して格子状に組み立てられる。天板上には商品等の展示物が載置される。
【０００３】
上記従来の展示台は、胴部から天板及び支持部材が取り外された状態で設置場所に搬送される。そして、設置場所において、支持部材が胴部内に配され、天板の係合片を胴部の係合孔に係合させて天板が胴部に取り付けられる。これにより、設置場所において、展示台が組み立てられる。
【先行技術文献】
【特許文献】
【０００４】
【特許文献１】特許第５１９６９４４号公報（第４頁−第６頁、第３図、第５図）
【発明の概要】
【発明が解決しようとする課題】
【０００５】
しかしながら、上記従来の展示台によると、設置場所において、胴部内に支持部材及び天板を設置する作業が必要になる。このため、展示台の組み立てに手間がかかり利便性が悪い問題があった。
【０００６】
本発明は、利便性を向上できる展示台を提供することを目的とする。
【課題を解決するための手段】
【０００７】
上記目的を達成するために本発明は、
水平断面形状が略矩形の筒状の胴部と、互いに係合する係合溝を有した第１支持板と第２支持板とを井桁状に組み立てられるとともに前記胴部内に配される支持部材と、前記支持部材上に配されて前記胴部に嵌合する天板とを備え、前記天板上に展示物が載置される展示台において、
前記天板が隣接する二辺を前記胴部に接着されるとともに該二辺の夾角の二等分線上に形成された折り線から成る天板折畳み部を有し、第１支持板の両端が前記胴部の対向する二面に接着されることを特徴としている。
【０００８】
この構成によると、天板を接着した胴部の二面を重ねて胴部を折り畳む際に天板が天板折畳み部で折り畳まれるとともに、第１支持板と第２支持板とが重なって支持部材が畳まれる。
【０００９】
また本発明は、上記構成の展示台において、第２支持板の両端を前記胴部に対して非接着に形成し、第２支持板の前記係合溝が下端を開放されると好ましい。
【００１０】
また本発明は、上記構成の展示台において、第１支持板が前記胴部の短辺方向に配されると好ましい。
【００１１】
また本発明は、上記構成の展示台において、前記天板上の前記天板折畳み部の近傍に開口部を設けると好ましい。
【００１２】
また本発明は、上記構成の展示台において、前記天板が前記胴部に非接着の二辺に前記胴部と前記支持部材との間に挿入されるフラップを有すると好ましい。
【００１３】
また本発明は、上記構成の展示台において、前記フラップが第１支持板の前記胴部に接着される接着片の上端に当接すると好ましい。
【００１４】
また本発明は、上記構成の展示台において、前記天板が前記フラップの折曲により切り起こされる係止片を有し、前記フラップを前記胴部内に挿入した際に前記係止片が前記胴部の内面に当接すると好ましい。
【発明の効果】
【００１５】
本発明によると、天板が隣接する二辺を胴部に接着されるとともに該二辺の夾角の二等分線上に形成された折り線から成る天板折畳み部を有し、第１支持板と第２支持板とを井桁状に組み立てられる支持部材の第１支持板の両端が胴部の対向する二面に接着される。これにより、天板を接着した胴部の二面を重ねて胴部を折り畳む際に天板が天板折畳み部で折り畳まれるとともに第１支持板と第２支持板とが重なって支持部材が畳まれる。また、折り畳まれた胴部を起こすと天板が天板折畳み部で伸張されて胴部に嵌合するとともに第１支持板及び第２支持板が格子状に整列される。したがって、展示台を搬送状態から容易に組み立てることができ、展示台の利便性を向上することができる。
【図面の簡単な説明】
【００１６】
【図１】本発明の実施形態の展示台を示す斜視図
【図２】本発明の実施形態の展示台を示す底面図
【図３】本発明の実施形態の展示台の胴部を形成するブランク板を示す展開図
【図４】本発明の実施形態の展示台の天板を形成するブランク板を示す展開図
【図５】本発明の実施形態の展示台の支持部材の第１支持板を形成するブランク板を示す展開図
【図６】本発明の実施形態の展示台の支持部材の第２支持板を形成するブランク板を示す正面図
【図７】本発明の実施形態の展示台の胴部及び天板を折り畳んだ様子を示す背面図
【図８】本発明の実施形態の展示台の組み立て途中の様子を示す上面図
【図９】本発明の実施形態の展示台の組み立て途中の様子を示す底面図
【図１０】本発明の実施形態の展示台を示す上面断面図
【図１１】本発明の実施形態の展示台の要部を示す側面断面図
【発明を実施するための形態】
【００１７】
以下に本発明の実施形態を図面を参照して説明する。図１及び図２は本発明の一実施形態の展示台の斜視図及び底面図をそれぞれ示している。展示台１は水平断面形状が略矩形の筒状の胴部１０と、井桁状の支持部材２０（図２参照）と、略矩形の天板３０とを有し、床面上に立設される。展示台１の左右方向、高さ方向及び奥行方向の長さは例えばそれぞれ約６１０ｍｍ、約５７０ｍｍ及び約３００ｍｍになっている。胴部１０は対向する前面板２及び背面板３を両側方の側面板６、７により連結して形成され、上下面を開口する。また、胴部１０の角部は面取りされている。
【００１８】
支持部材２０は胴部１０内に配されて下端が床面に接するとともに、高さが胴部１０よりも低くなっている。支持部材２０はそれぞれ複数（本実施形態では２枚）の第１支持板２１及び第２支持板２２を有する。第１支持板２１及び第２支持板２２はそれぞれ係合溝２１ａ、２２ａ（図５、図６参照）を有し、後述のように係合溝２１ａ、２２ａを互いに係合させることにより支持部材２０は井桁状に組み立てられる。すなわち、支持部材２０は第１支持板２１と第２支持板２２とを直交して格子状に組み立てられる。
【００１９】
図２に示すように、第１支持板２１は胴部１０の短辺方向に配され、第１支持板２１の両端は接着片２１ｂを介して胴部１０の対向する二面（本実施形態では前面板２の内面及び背面板３の内面）に接着される。第２支持板２２は胴部１０の長辺方向に配され、第２支持板２２の両端は胴部１０に対して非接着になっている。
【００２０】
天板３０は胴部１０に内嵌して支持部材２０上に配され、胴部１０の上面の開口部１０ａ（図８参照）を閉じる。天板３０上には商品等の展示物（不図示）が載置される。天板３０及び天板３０上に載置される展示物の荷重は支持部材２０により支えられる。
【００２１】
天板３０は隣接する辺３５ａ、３６ａを胴部１０に接着され、辺３５ａ、３６ａの夾角θ（略９０°）の二等分線上に形成される折り線９０から成る天板折畳み部３０ａを有する。天板３０上には周縁の一部が天板折畳み部３０ａに重なる開口部３０ｂが設けられる。なお、開口部３０ｂの周縁は天板折畳み部３０ａに重なっていなくともよく、開口部３０ｂは天板３０上の天板折畳み部３０ａの近傍に設けられていればよい。
【００２２】
また、天板３０上に載置される展示物に関する絵、写真や文字等を胴部１０に印刷することにより、展示物の広告宣伝を行うことができる。なお、胴部１０は無地でもよく、また展示物とは関係のない模様等を胴部１０に描画してもよい。
【００２３】
図３は、胴部１０を形成するブランク板１００、１１０を連結した状態の展開図を示している。ブランク板１００、１１０は例えば段ボール紙の打ち抜きにより略同一形状に形成される。ブランク板１００は前面板２及び側面板７を形成し、ブランク板１１０は背面板３及び側面板６を形成する。
【００２４】
前面板２、側面板７、背面板３及び側面板６の上端には一点鎖線で示す折り線９０を介して折返し片２ａ、７ａ、３ａ、６ａがそれぞれ連設される。前面板２及び背面板３の側端にはそれぞれ糊代片２ｂ、３ｂが連設される。糊代片３ｂが接着剤等を介して側面板７の後端部（図中、左端部）に接着されることにより、ブランク板１１０はブランク板１００に連結される。
【００２５】
上下方向に延びる折り線９０（図３参照）で折り曲げて、糊代片２ｂを接着剤等を介して側面板６の左端部の内面に接着する。これにより、筒状の胴部１０が形成される。この時、折返し片２ａ、７ａ、３ａ、６ａを折り線９０で折り曲げて、前面板２、側面板７、背面板３及び側面板６の内面にそれぞれ重ねて接着剤等により接着する。これにより、胴部１０の上端にブランク板１００、１１０の打ち抜き形成時の切断面が視認されないため、展示台１の美観を向上させることできる。
【００２６】
図４は天板３０の展開図を示している。天板３０を形成するブランク板３００は例えば段ボール紙の打ち抜きにより形成される。天板折畳み部３０ａは展示物が載置される載置部３１の辺３５ａ、３６ａの夾角θの二等分線上に形成される。開口部３０ｂは打ち抜きにより載置部３１に形成される。
【００２７】
載置部３１の前端（図中、下端）の左部及び右部には折り線９０を介してそれぞれフラップ３２、３３が連設され、右端には折り線９０を介してフラップ３４が連設される。載置部３１の後端（図中、上端）及び左端には折り線９０を介してそれぞれ糊代片３５、３６が連設される。
【００２８】
フラップ３４は切欠き部３８によって載置部３１の前端から後方（図中、上方）に所定距離離れて設けられる。フラップ３６は切欠き部３９によって載置部３１の後端から前方（図中、下方）に所定距離離れて設けられる。
【００２９】
フラップ３３、３４は折り線９０に対して載置部３１と反対側に凸の切込みにより形成される複数の係止片３３ａ、３４ａをそれぞれ有する。係止片３３ａ、３４ａはそれぞれフラップ３３、３４の折り線９０での折曲により切り起こされる。なお、本実施形態では、係止片３３ａ、３４ａをそれぞれ２個設けているが、１個でもよく、また３個以上設けてもよい。
【００３０】
糊代片３５、３６（図４参照）を折り線９０で折り曲げて、それぞれ背面板３の内面及び側面板７の内面に接着剤等を介して接着する。これにより、天板３０が隣接する二辺を胴部１０に接着される。この時、フラップ３２、３３、３４を胴部１０に対して非接着にする。
【００３１】
図５は支持部材２０の第１支持板２１を形成するブランク板２１０の展開図を示している。図６は支持部材２０の第２支持板２２を形成するブランク板２２０の正面図を示している。ブランク板２１０、２２０は例えば段ボール紙の打ち抜きにより形成される。
【００３２】
第１支持板２１は係合溝２１ａが複数（本実施形態では２個）形成された支持部２１ｃと、支持部２１ｃの両側端に折り線９０を介して連設された接着片２１ｂとを有する。係合溝２１ａは上端が開放され、前後方向（図中、左右方向）に並設される。接着片２１ｂは切欠き部２１ｄによって支持部２１ｃの上端から下方に所定距離離れて設けられる。接着片２１ｂよりも上方の支持部２１ｃの幅Ｗ１は支持部２１ｃの両端の折り線９０間の幅Ｗ２よりも短く形成される。
【００３３】
第２支持板２２には下端が開放されている複数（本実施形態では２個）の係合溝２２ａが左右方向に並設されている。第２支持板２２の上端部の両側端には切欠き部２２ｄが設けられ、第２支持板２２の上端の幅Ｗ３は下端の幅Ｗ４よりも短く形成される。
【００３４】
２枚のブランク板２１０（図５参照）の係合溝２１ａの上端から２枚のブランク板２２０（図６参照）の係合溝２２ａを下端から進入させ、２枚のブランク板２２０と２枚のブランク板２１０とから支持部材２０を井桁状に組み立てる。そして、第１支持板２１の両端の接着片２１ｂを折り線９０で折り曲げて、それぞれ前面板２の内面及び背面板３の内面に接着剤等により接着する。これにより、第１支持板２１の両端が胴部１０の対向する二面に接着される。この時、第２支持板２２の両端は胴部１０に対して非接着に形成される。
【００３５】
図７は搬送及び保管の際の展示台１の背面図を示している。天板３０を接着した胴部１０の背面板３上に側面板７を重ねて胴部１０を偏平に折り畳むと、天板３０が天板折畳み部３０ａで折り畳まれる。また、第１支持板２１に対して第２支持板２２が係合溝２１ａ、２２ａを中心に相対的に回動し、第１支持板２１上に第２支持板２２が重なって支持部材２０が畳まれる。この時、折り畳まれた天板３０の一部は胴部１０の上方に突出して配される。これにより、展示台１は胴部１０が偏平に折り畳まれた容積の小さい状態で搬送や保管が行われる。したがって、展示台１の搬送コスト及び保管コストを削減することができる。
【００３６】
図８及び図９は組み立て途中の展示台１の上面図及び底面図をそれぞれ示している。展示台１の設置場所において、偏平に折り畳まれた胴部１０を前面板２と背面板３とが離れる方向に引き起こすと天板３０が天板折畳み部３０ａで伸張される。この時、第１支持板２１と第２支持板２２との成す角度が大きくなるように第１支持板２１が立ち上がり、第１支持板２１と第２支持板２２とが直交して支持部材２０が井桁状に組み立てられる。
【００３７】
また、天板３０のフラップ３２、３３、３４（図４参照）を折り線９０で折り曲げて胴部１０内に挿入する。これにより、伸張された天板３０が図１に示すように胴部１０に嵌合する。
【００３８】
この時、図１０の展示台１の上面断面図に示すように、フラップ３３、３４の折曲により切り起こされる係止片３３ａ、３４ａが胴部１０の内面を押圧する。これにより、係止片３３ａ、３４ａと胴部１０の内面との間の摩擦力により天板３０の浮き上がりを防止することができる。
【００３９】
また、天板３０の切欠き部３８、３９内に胴部１０の糊代片２ｂ、３ｂがそれぞれ配されるため、フラップ３４と糊代片２ｂとの干渉及び糊代片３６と糊代片３ｂとの干渉を防止することができる。
【００４０】
図１１は展示台１の要部の側面断面図を示している。天板３０を胴部１０に嵌合させた際に、フラップ３２（図４参照）及びフラップ３３は切欠き部２１ｄ内に進入するとともにフラップ３４は切欠き部２２ｄ（図６参照）内に進入する。これにより、フラップ３２、３３、３４は胴部１０と支持部材２０との間に挿入される。したがって、フラップ３２、３３、３４と支持部材２０との干渉を防止しながら、折り曲げたフラップ３２、３３、３４により天板３０の強度を向上させることができる。
【００４１】
また、フラップ３２、３３は第１支持板２１の接着片２１ｂの上端に当接する。これにより、天板３０上に展示物を載置した際に天板３０の端部の下方への沈み込みを防止することができる。
【００４２】
以上のように、展示台１の設置場所において、胴部１０に天板３０及び支持部材２０を逐一取り付けることなく、展示台１を搬送状態から容易に組み立てることができる。したがって、展示台１の利便性を向上させることができる。
【００４３】
そして、展示台１を店舗等の床面上に設置し、天板３０上に商品等の展示物を載置する。これにより、展示物の展示が行われる。
【００４４】
展示台１を設置場所から撤去する際には開口部３０ｂに挿入した手指で天板３０を持ち上げることにより、胴部１０、支持部材２０及び天板３０を折り畳むことができる。これにより、展示台１の撤去を容易に行うことができる。この時、図７に示すように、展示台１は胴部１０が偏平に折り畳まれた容積の小さい状態になるため、展示台１の減容化を図ってゴミ容量を削減することができる。
【００４５】
本実施形態によると、天板３０が隣接する辺３５ａ、３６ａを胴部１０に接着されるとともに辺３５ａ、３６ａの夾角θの二等分線上に形成される折り線９０から成る天板折畳み部３０ａを有し、第１支持板２１の両端が対向する前面板２及び背面板３に接着される。これにより、天板３０を接着した胴部１０の背面板３及び側面板７を重ねて胴部１０を折り畳む際に天板３０が天板折畳み部３０ａで折り畳まれるとともに第１支持板２１と第２支持板２２とが重なって支持部材２０が畳まれる。また、折り畳まれた胴部１０を起こすと天板３０が天板折畳み部３０ａで伸張されて胴部１０に嵌合するとともに第１支持板２１及び第２支持板２２が格子状に整列される。したがって、展示台１を搬送状態から容易に組み立てることができ、展示台１の利便性を向上することができる。
【００４６】
また、胴部１０の断面形状及び天板３０の平面形状が略矩形に形成されるため、胴部１０を偏平に折り畳んだ際に胴部１０に接着した井桁状の支持部材２０を偏平に畳むことができる。
【００４７】
また、第２支持板２２の両端を胴部１０に対して非接着に形成し、第２支持板２２の係合溝２２ａの下端を開放している。これにより、展示台１の組み立て時に第２支持板２２が第１支持板２１の立ち上がり動作に容易に追随することができる。したがって、展示台１を容易に組み立てることができる。また、展示台１を持ち上げた際に、胴部１０に非接着の第２支持板２２の下方への抜けを防止することができる。
【００４８】
また、胴部１０に接着される第１支持板２１が胴部１０の短辺方向に配される。なお、第１支持板２１を長くするとともに第２支持板２２を短くして第１支持板２１を胴部１０の長辺方向に配して接着し、第２支持板２２を胴部１０の短辺方向に配して非接着にしてもよい。ただし、第１支持板２１が胴部１０の短辺方向に配されると、胴部１０の強度をより高くすることができるため、より望ましい。
【００４９】
また、天板３０上に開口部３０ｂを設けている。これにより、開口部３０ｂに挿入した手指で天板３０を持ち上げると、胴部１０、支持部材２０及び天板３０が折り畳まれる。したがって、展示具１を容易に折り畳むことができる。
【００５０】
また、天板３０は胴部１０と支持部材２０との間に挿入されるフラップ３２、３３、３４を有する。これにより、天板３０の強度を向上させることができる。
【００５１】
また、フラップ３２、３３が接着片２１ｂの上端に当接する。これにより、展示物を天板３０上に載置した際に天板３０の端部の下方への沈み込みを防止することができる。
【００５２】
また、天板３０がフラップ３３、３４の折曲により切り起こされる係止片３３ａ、３４ａを有し、フラップ３３、３４を胴部１０内に挿入した際に係止片３３ａ、３４ａが胴部１０の内面に当接する。これにより、係止片３３ａ、３４ａと胴部１０の内面との間の摩擦力により天板３０の浮き上がりを防止することができる。なお、フラップ３２にも係止片３３ａ、３４ａと同様の係止片を設けてもよい。
【００５３】
なお、本実施形態において、第１支持板２１の両端及び第２支持板２２の両端を胴部１０の内面に接着してもよい。この時、展示台１を折り畳む際や組み立てる際に本実施形態よりも第１支持板２１及び第２支持板２２が動きにくくなる。このため、第２支持板２２を胴部１０に対して非接着にするとより望ましい。
【産業上の利用可能性】
【００５４】
本発明は、店舗等に設置されて商品等の展示物が載置される展示台に利用することができる。
【符号の説明】
【００５５】
１        展示台
２        前面板
２ａ、３ａ、６ａ、７ａ    折返し片
３        背面板
６、７    側面板
１０      胴部
２０      支持部材
２１      第１支持板
２１ａ    係合溝
２１ｂ    接着片
２２      第２支持板
２２ａ    係合溝
３０      天板
３０ａ    天板折畳み部
３０ｂ    開口部
３２、３３、３４    フラップ
９０      折り線
１００、１１０、２１０、２２０、３００    ブランク板
【図１】
0006596990.tif 000002
【図２】
0006596990.tif 000003
【図３】
0006596990.tif 000004
【図４】
0006596990.tif 000005
【図５】
0006596990.tif 000006
【図６】
0006596990.tif 000007
【図７】
0006596990.tif 000008
【図８】
0006596990.tif 000009
【図９】
0006596990.tif 000010
【図１０】
0006596990.tif 000011
【図１１】
0006596990.tif 000012